(57)【特許請求の範囲】
【請求項１】
最内層にシーラント層が積層された積層フィルムで形成され、袋本体部が、左右両側に積層フィルムを内側に折り襞状に折り返してなる折り返し部からなるガセット部を有する筒状に形成され、該袋本体部の四隅の側部の端縁部が側部シール部でヒートシールされると共に、該袋の口部となる一方の開口端近傍の内面に開閉自在なチャックテープが熱接着されてなるチャックテープ付きガセット袋であって、該チャックテープが、該袋本体部の一隅の側部から、横方向に対向する側部の端部まで、両側の折り襞状の折り返し部の互いに異なる側に対角線状に挿入され、熱接着されていることを特徴とするチャックテープ付きガセット袋。
【請求項２】
前記ガセット袋のチャックテープが熱接着された外側の端縁部が、その内面にイージーピール性の熱接着剤が塗布され、熱接着により封止されていることを特徴とする請求項１記載のチャックテープ付きガセット袋。
【請求項３】
前記ガセット袋のチャックテープが熱接着された外側の端縁部が、ヒートシール部により封止され、該ヒートシール部とチャックテープとの間に袋の開封手段が設けられていることを特徴とする請求項１記載のチャックテープ付きガセット袋。
【請求項４】
袋の本体部が、左右両側にガセット部を有する筒状に形成され、該袋本体部の四隅の側部の端縁部が側部シール部でヒートシールされると共に、該袋の口部となる一方の開口端近傍の内面に開閉自在なチャックテープが熱接着されてなるチャックテープ付きガセット袋の製造方法であって、少なくとも下記（１）〜（６）の工程を含むことを特徴とするチャックテープ付きガセット袋の製造方法。
（１）最内層にシーラント層が積層された長尺の積層フィルムを長手方向に送りながら、その左右両側をシーラント層が内側になるように折り返して、内側に折り襞状の折り返し部を有するガセット部を形成し、折り返された両側の積層フィルムの端部のシーラント層同士を一方の側部で重ね合わせて筒状の袋本体部を形成するか、
または、前記積層フィルムを、袋本体部の前後の平面部用と左右のガセット部用の四つに分割し、それぞれのシーラント層が袋の内側になるように長手方向に送りながら、上下に平行して送られる平面部用の積層フィルムの両側の間に、ガセット部用の積層フィルムをそれぞれ内側に半折りして折り襞状の折り返し部を形成して挿入し、筒状の袋本体部を形成する工程。
（２）前記筒状に形成された袋本体部を前記長手方向に所定のピッチで間欠送りしながら、該袋本体部の一隅の側部から、チャックテープをガイドにより横方向（袋の送り方向と直交する方向）に対向する側部の端部まで、両側の折り襞状の折り返し部の互いに異なる側に対角線状に挿入する工程。
（３）前記挿入されたチャックテープを袋の外側から加熱、加圧し、袋の内面に熱接着する工程。
（４）前記袋に熱接着されたチャックテープの外側の端縁部をヒートシールする工程。
（５）前記袋本体部の左右両側と前後の四隅の端縁部を側部シール部でヒートシールする工程。
（６）前記四隅の端縁部がヒートシールされた袋本体部を、個々の長さの袋に切断する工程。
【発明の詳細な説明】
【０００１】
【発明の属する技術分野】
本発明は、チャックテープ付きガセット袋およびその製造方法に関し、更に詳しくは、袋の左右の側部にガセット部を有し、口部にその開閉を自在にするチャックテープが取り付けられたチャックテープ付きガセット袋およびその製造方法に関するものである。
【０００２】
【従来の技術】
従来、袋の左右両側の側部にガセット部、即ち、内側に折り襞状の折り返し部を設けたガセット袋は、自立性があり、容量の割にコンパクトに包装できることから、多方面の用途に使用されており、このガセット袋の使い勝手を更によくするため、その口部に開閉自在なチャックテープを取り付ける要望が多くなっている。
【０００３】
しかし、ガセット袋は、左右両側にガセット部の折り返し部があるため、チャックテープの取り付けが厄介であるという問題がある。
また、袋の製造の際、積層フィルムの流れ方向とチャックテープの取り付け方向とが異なるため、加工が煩雑になる問題もある。
【０００４】
このような問題を解決するため、例えば、特開平５−２７０５５２号公報には、ガセット袋を構成する前後の平面部と、折り襞状に内方に折り込まれた折り線を備えるように形成された２つの側面とを有する筒状の袋本体部を一般に行われている方法で一旦形成した後、袋本体部の口部を開くために袋本体部の４隅のうち、いずれか一方の平面部の両端となる２隅の位置から、それぞれ、内方へ所定の距離まで切り込みを入れ、折り曲げ可能な扉状の開き面を２つ形成し、その開き面の上にジッパの雄型部材と雌型部材をそれぞれ固着させ、次いで、前後の開き面を閉じてジッパを嵌合させ、しかる後、切り込みを入れた箇所の近傍および上部端部を融着して形成したジッパ付きガセット袋が提案されている。
【０００５】
しかしながら、このような方法を採った場合でも、ジッパの雄型部材と雌型部材の袋の口部内面への接着自体は簡易になるが、筒状の袋本体部の形成と、ジッパの接着が別工程となり、更にジッパの取り付けに際して、一旦筒状に形成した袋本体部のいずれか一方の平面部の両端の２隅の位置から、それぞれ、内方へ所定の距離まで切り込みを入れ、折り曲げ可能な扉状の開き面を２つ形成し、その開き面の上にジッパの雄型部材と雌型部材をそれぞれ別々に熱接着し、次いで、前後の開き面を閉じてジッパを嵌合させる必要があり、また、前記切り込みを入れた箇所の近傍および上部端部を融着してジッパ付きガセット袋を完成させる必要があり、その製造工程の煩雑さは解決されず、なお問題があった。
【０００６】
【発明が解決しようとする課題】
本発明は、このような問題点を解決するためになされたものであり、その目的とするところは、チャックテープが熱接着により取り付けられた積層フィルム製のガセット袋であって、チャックテープの開閉が自在で袋の使い勝手がよく、また、その製造の際、製袋とインラインで容易にチャックテープを取り付けることができ、使用適性と共に生産性に優れたチャックテープ付きガセット袋およびその製造方法を提供することにある。
【０００７】
【課題を解決するための手段】
上記の課題は、以下の本発明により解決することができる。
即ち、請求項１に記載した発明は、最内層にシーラント層が積層された積層フィルムで形成され、袋本体部が、左右両側に積層フィルムを内側に折り襞状に折り返してなる折り返し部からなるガセット部を有する筒状に形成され、該袋本体部の四隅の側部の端縁部が側部シール部でヒートシールされると共に、該袋の口部となる一方の開口端近傍の内面に開閉自在なチャックテープが熱接着されてなるチャックテープ付きガセット袋であって、該チャックテープが、該袋本体部の一隅の側部から、横方向に対向する側部の端部まで、両側の折り襞状の折り返し部の互いに異なる側に対角線状に挿入され、熱接着されていることを特徴とするチャックテープ付きガセット袋からなる。
【０００８】
本発明において、上記チャックテープは、図４に示すように、互いに嵌合可能な凸条が設けられたテープ体と、凹条が設けられたテープ体とで構成し、袋の開口部の内面に、両者をその凸条と凹条とが対向するように配置し、そのテープ体部で袋に熱接着して取り付け、凸条と凹条との嵌合または解離により、袋の開閉を容易に、且つ繰り返し行えるようにするものである。
【０００９】
また、このようなチャックテープを袋に取り付ける際、本発明では、前記凸条が設けられたテープ体と、凹条が設けられたテープ体とを予め嵌合させた状態で、前記袋本体部の一方の側部から横方向に挿入して、所定の位置に熱接着するものであり、そのためには、チャックテープの凸条または凹条が設けられた面同士が融着しないように、チャックテープのそれぞれのテープ体を２層以上の多層で形成し、凸条または凹条が設けられた側の樹脂の融着温度が、袋に接する側の熱接着性樹脂層の熱接着温度よりも５〜２５℃程度高くなるように形成することが好ましい。
【００１０】
前記のような構成を採ることにより、袋がガセット袋であり、且つ袋の四隅の側部の端縁部が側部シール部でヒートシールされているため、内容物充填後の袋が自立性を有し取り扱いが容易であると共に、胴部がしっかりとした角筒状となり外観にも優れている。また、容量の割にコンパクトに包装することができる。更に、ガセット袋の口部となる開口端近傍の内面には、開閉自在なチャックテープが、一方の側部から横方向にもう一方の側部まで、両側のガセット部の折り襞状に内側に折り込まれた折り込み部の互いに異なる側に対角線状に挿入され、熱接着されているので、内容物を取り出す際、チャックテープの嵌合を解離させることにより、口部を大きく開口させることができると共に、口部と袋本体部のバランスがよく、内容物を容易に取り出すことができる。
そして、内容物の一部を取り出した後も、チャックテープを容易に嵌合させて袋を再封できるので、内容物を安全に保存することができる。
【００１１】
また、このようなチャックテープ付きガセット袋の製造は、従来のガセット袋の製袋機を利用して、長尺で広幅の積層フィルムの両側を内側に折り込んで両側にガセット部を形成した後、折り返された両側の積層フィルムの端部のシーラント層同士を一方の側部で重ね合わせて筒状の袋本体部を形成するか、または、袋本体部の前後の平面部用と左右のガセット部用の四つに分割された長尺の積層フィルムを用いて、それぞれの積層フィルムを、そのシーラント層が袋の内側になるように長手方向に送りながら、上下に平行して送られる平面部用の積層フィルムの両側の間に、ガセット部用の積層フィルムをそれぞれ内側に半折りして挿入し、筒状の袋本体部を形成した後、側部のヒートシールを行う前のセクションに、チャックテープの取り付け装置を組み込んで、横方向からチャックテープを挿入し熱接着することにより、製袋とインラインでチャックテープを取り付けてチャックテープ付きガセット袋を製造することができる。また、チャックテープの凸条を設けたテープ体と凹条を設けたテープ体とを別々に熱接着する必要もないので、製造工程を大幅に簡略化でき、生産性よく製造することができる。
【００１２】
請求項２に記載した発明は、前記ガセット袋のチャックテープが熱接着された外側の端縁部が、その内面にイージーピール性の熱接着剤が塗布され、熱接着により封止されていることを特徴とする請求項１記載のチャックテープ付きガセット袋からなる。
【００１３】
上記イージーピール性の熱接着剤は、特に限定はされず、袋の積層フィルムのシーラント層同士でヒートシールした場合よりもシール強度を一定範囲で弱くできるものであれば何でもよく、例えば、パートコート用のヒートシール剤、具体的にはエチレン−酢酸ビニル共重合体（ＥＶＡ）系樹脂のエマルジョンや、塩素化ポリプロピレン系樹脂溶液などを好適に使用することができる。
このようなイージーピール性の熱接着剤の塗布膜は、その塗布液をグラビア印刷やフレキソ印刷などの手段でパターン状に塗布し、乾燥することにより、容易に形成することができる。また、このようなイージーピール性の熱接着剤の塗布量は、乾燥時の塗布量で２〜８ｇ／ｍ2 が好ましく、３〜５ｇ／ｍ2 が更に好ましい。
【００１４】
このような構成を採ることにより、前記請求項１に記載した発明の作用効果に加えて、チャックテープの外側の端縁部が、イージーピール性の熱接着剤でヒートシールされているので、内容物が充填されたチャックテープ付きガセット袋が、流通段階で誤ってそのチャックテープの嵌合が解離されても、内容物が外部に散逸するようなことがなく安全に密封されると共に、内容物を取り出す際にも、容易にイージーピール性のヒートシール部を剥離して開封することができ、次いでチャックテープの嵌合を解離させて内容物を取り出すことができる。
【００１５】
請求項３に記載した発明は、前記ガセット袋のチャックテープが熱接着された外側の端縁部が、ヒートシール部により封止され、該ヒートシール部とチャックテープとの間に袋の開封手段が設けられていることを特徴とする請求項１記載のチャックテープ付きガセット袋からなる。
【００１６】
上記袋の開封手段は、印刷で表示された切り取り線などの開封指示線や開封指示マークであってもよく、また、実際の引き裂きによる開封操作を容易にする以下のような易開封性手段であってもよい。更にこれらの複数を適宜組み合わせて設けたものであってもよい。
上記易開封性手段としては、例えば、通常の積層フィルム製の袋でも汎用されるノッチを設ける方法のほか、レーザー光照射などによるハーフカット線を設ける方法、或いは、袋の積層フィルムの中間層などに一軸延伸フィルムを積層する方法（この場合、一軸延伸フィルムは、その延伸方向が袋の開封方向と一致するように用いる）などがあり、これらは単独で用いてもよく、また、例えば、ノッチとハーフカット線、更には一軸延伸フィルムの積層などを組み合わせて用いることもできる。
【００１７】
前記ノッチは、通常、一字形やＶ字形などのノッチが利用されているが、形状は特に限定されず、切り取り方向に鋭角部分を有する形状であれば何でも使用することができる。
また、ハーフカット線を設ける場合も、直線状のハーフカット線に限らず、ミシン目状など断続的なハーフカット線で設けることもできる。
更に、このようなハーフカット線は、１本でもよいが、引き裂き方向がずれた場合を想定して、中心のハーフカット線の両側に各１本、または各２本など複数本のハーフカット線を平行または中心のハーフカット線に収斂する形状などに設けることもできる。
【００１８】
このような構成を採ることにより、前記請求項１に記載した発明の作用効果に加えて、チャックテープ付きガセット袋の密封性を一層向上できると共に、袋に充填された内容物を使用する際、正しい位置（チャックテープの外側）で一層容易に袋を開封できるようになる。
【００１９】
請求項４に記載した発明は、袋の本体部が、左右両側にガセット部を有する筒状に形成され、該袋本体部の四隅の側部の端縁部が側部シール部でヒートシールされると共に、該袋の口部となる一方の開口端近傍の内面に開閉自在なチャックテープが熱接着されてなるチャックテープ付きガセット袋の製造方法であって、少なくとも下記（１）〜（６）の工程を含むことを特徴とするチャックテープ付きガセット袋の製造方法からなる。即ち、
（１）最内層にシーラント層が積層された長尺の積層フィルムを長手方向に送りながら、その左右両側をシーラント層が内側になるように折り返して、内側に折り襞状の折り返し部を有するガセット部を形成し、折り返された両側の積層フィルムの端部のシーラント層同士を一方の側部で重ね合わせて筒状の袋本体部を形成するか、
または、前記積層フィルムを、袋本体部の前後の平面部用と左右のガセット部用の四つに分割し、それぞれのシーラント層が袋の内側になるように長手方向に送りながら、上下に平行して送られる平面部用の積層フィルムの両側の間に、ガセット部用の積層フィルムをそれぞれ内側に半折りして折り襞状の折り返し部を形成して挿入し、筒状の袋本体部を形成する工程。
（２）前記筒状に形成された袋本体部を前記長手方向に所定のピッチで間欠送りしながら、該袋本体部の一隅の側部から、チャックテープをガイドにより横方向（袋の送り方向と直交する方向）に対向する側部の端部まで、両側の折り襞状の折り返し部の互いに異なる側に対角線状に挿入する工程。
（３）前記挿入されたチャックテープを袋の外側から加熱、加圧し、袋の内面に熱接着する工程。
（４）前記袋に熱接着されたチャックテープの外側の端縁部をヒートシールする工程。
（５）前記袋本体部の左右両側と前後の四隅の端縁部を側部シール部でヒートシールする工程。
（６）前記四隅の端縁部がヒートシールされた袋本体部を、個々の長さの袋に切断する工程。を含む製造方法である。
【００２０】
上記の製造方法において、（２）の工程で袋本体部の一隅の側部から、横方向に対向する側部の端部まで、両側の折り襞状の折り返し部の互いに異なる側に対角線状に挿入するチャックテープは、前記請求項１に記載した発明で説明したように、互いに嵌合可能な凸条が設けられたテープ体と凹条が設けられたテープ体とで構成されるチャックテープを予め嵌合させた状態で挿入するものであり、また、それぞれのテープ体は、前記２層以上の多層で形成したものである。
【００２１】
このような製造方法を採ることにより、製袋とインラインでチャックテープの取り付けが可能になると同時に、チャックテープの凸条が設けられたテープ体と凹条が設けられたテープ体とを別々に熱接着するのではなく、両者を嵌合させた状態で熱接着できるので、両者の位置ずれによる嵌合不良もなくなり品質を向上できると共に、熱接着装置も簡略化でき、製造工程としても大幅に簡略化することができる。
従って、前記請求項１乃至３のいずれかに記載した発明のチャックテープ付きガセット袋を品質よく、且つ生産性よく製造することができる。
【００２２】
【発明の実施の形態】
以下に、本発明のチャックテープ付きガセット袋に用いる材料、即ち、袋の積層フィルムおよびチャックテープについて説明する。
先ず、本発明のチャックテープ付きガセット袋に用いる積層フィルムは、主にプラスチックを主体とする積層フィルムが用いられるが、特に限定はされず、充填される内容物に応じて種々の構成を採ることができる。
簡単な構成では、基材フィルム層にシーラント層を積層して構成することができるが、要求される性能に応じて、上記基材フィルム層とシーラント層との間に、中間層として、水蒸気その他のガスバリヤー層や、遮光層、強度向上層などを積層して構成することもできる。また、中間層には、袋の開封時の一定方向の引き裂きを容易にするため、一軸延伸ポリプロピレンフィルムや一軸延伸高密度ポリエチレンフィルムなどをその延伸方向が袋の開封方向と一致するように積層して用いることもできる。
また、上記基材フィルム層、中間層、シーラント層は、それぞれを単独の層で形成してもよいが、複数の層を積層して形成してもよい。
【００２３】
上記基材フィルム層には、二軸延伸ポリプロピレンフィルムのほか、二軸延伸ポリエチレンテレフタレートフィルム、二軸延伸ポリエチレンナフタレートフィルムなどの二軸延伸ポリエステルフィルムや、ナイロン６、ナイロン６６、ＭＸＤ６（ポリメタキシリレンアジパミド）などの二軸延伸ポリアミドフィルムなどを好適に使用することができが、必要に応じて各種エンジニアリングプラスチックフィルムを使用することもできる。
これらは単独で使用してもよく、また、複数を組み合わせて積層して使用することもできる。
【００２４】
中間層をガスバリヤー層とする場合、中間層には、エチレン・酢酸ビニル共重合体ケン化物（ＥＶＯＨ）、ポリ塩化ビニリデン（ＰＶＤＣ）、ポリアクリロニトリル（ＰＡＮ）などのフィルムのほか、アルミニウム箔、或いは、シリカ、アルミナ、アルミニウムなどの蒸着層やＰＶＤＣの塗膜層を設けた二軸延伸ナイロンフィルム（ＯＮフィルム）、二軸延伸ポリエチレンテレフタレートフィルム（ＰＥＴフィルム）、二軸延伸ポリプロピレンフィルム（ＯＰＰフィルム）などを使用することができる。
これらのうち、アルミニウム箔またはアルミニウム蒸着層を設けたフィルムは、不透明であるため遮光層を兼ねることもできる。
また、中間層を強度向上層とする場合は、前記基材フィルムを適宜追加積層してもよく、二軸延伸高密度ポリエチレンフィルムなどを防湿層を兼ねて積層することもできる。
上記の基材フィルム層と中間層の積層には、公知のドライラミネーション法または押し出しラミネーション法（サンドイッチラミネーション法）を用いることができる。
【００２５】
最内層のシーラント層には、低密度ポリエチレン（ＬＤＰＥ）、直鎖状低密度ポリエチレン（Ｌ・ＬＤＰＥ）のほか、エチレン・αオレフィン共重合体、エチレン・酢酸ビニル共重合体、エチレン・アクリル酸共重合体、エチレン・アクリル酸エステル共重合体、ポリプロピレンまたはその共重合体などを使用することができる。
シーラント層の積層は、上記の樹脂をフィルム状に製膜し、ドライラミネーション法または押し出しラミネーション法で積層してもよく、また、上記の樹脂を押し出しコートして積層することもできる。
【００２６】
次に、本発明に用いるチャックテープについて、図４を参照して説明する。
図４は、本発明に用いるチャックテープの構成を説明する模式拡大断面図であり、図４に示したチャックテープ５０は、既にガセット袋の口部となる一方の開口端近傍の両側の積層フィルム１、１の内面に熱接着され、その嵌合が解離された時の状態で示したものである。
即ち、チャックテープ５０は、一方の積層フィルム１の内面に熱接着された雄型嵌合部１４を有する凸条付きテープ体１２と、これに対向するようにもう一方の積層フィルム１の内面に熱接着された雌型嵌合部１５を有する凹条付きテープ体１３とで構成され、更に、凸条付きテープ体１２と凹条付きテープ体１３とは、先にも説明したように、それぞれ２層以上の多層（図では２層）の樹脂で形成され、凸条付きテープ体１２では、その雄型嵌合部１４側と積層フィルム１に熱接着される熱接着性樹脂層１６側とが、また、凹条付きテープ体１３では、その雌型嵌合部１５側と積層フィルム１に熱接着される熱接着性樹脂層１６側とが、熱融着温度乃至熱接着温度の異なる樹脂で形成されている。
但し、少なくとも凸条付きテープ体１２の熱接着性樹脂層１６と、凹条付きテープ体１３の熱接着性樹脂層１６とは、同一樹脂でよい。
【００２７】
これは、チャックテープ５０をガセット袋の内面に熱接着する際、本発明では凸条付きテープ体１２と凹条付きテープ体１３とを嵌合させた状態で熱接着するため、それぞれの嵌合部側と熱接着性樹脂層１６側とが同一樹脂の場合、突き合わされた嵌合部側のテープ体同士が熱融着しやすく、熱融着すると嵌合部の解離が不可能となるためである。従って、雄型嵌合部１４側と雌型嵌合部１５側の樹脂は、互いに熱融着しないか、熱融着する場合は、その融着温度が、熱接着性樹脂層１６の熱接着温度よりも５〜２５℃程度高いことが好ましい。
【００２８】
このようなチャックテープ５０の雄型嵌合部１４または雌型嵌合部１５側と熱接着性樹脂層１６側の樹脂の選定は、袋の積層フィルム１のシーラント層の樹脂との関係も考慮して決定する必要があるが、例えば、雄型嵌合部１４または雌型嵌合部１５側の樹脂にポリプロピレン、中密度ポリエチレン、低密度ポリエチレン、直鎖状低密度ポリエチレン、ポリ−４−メチルペンテン−１共重合体などを用いた場合、熱接着性樹脂層１６側の樹脂には、それらの密度、分子量を小さくした樹脂、或いは、それらの共重合体や、共重合体でコモノマーの含有量を多くした樹脂、更には、材質と共に融点などの異なる樹脂などを、前記温度差を付けられるように適宜選択して使用することができる。
【００２９】
【実施例】
以下に、図面を用いて本発明を更に具体的に説明する。但し、本発明は、これらの図面に限定されるものではない。
図１、図２は、それぞれ本発明のチャックテープ付きガセット袋の一実施例の構成を示す平面図である。
【００３０】
また、図３の（イ）、（ロ）は、それぞれ本発明のチャックテープ付きガセット袋の製造において、ガセット袋にチャックテープを取り付ける際のチャックテープの挿入方法を説明する断面図であり、（イ）は、最内層にシーラント層が積層された長尺で広幅の積層フィルム１の左右両側を、そのシーラント層が内側になるように折り返して、内側に折り襞状の折り返し部２a 、２b を形成し、折り返された両側の積層フィルム１の端部同士を、図では左側の側部、即ち、側部シール部４a の位置で重ね合わせて左右両側にガセット部を有する筒状の袋本体部を形成すると共に、その重ね合わせた側部から、チャックテープ５０を横方向にもう一方の側部（図では右側の側部）まで、両側の折り襞状の折り返し部２a 、２b の互いに異なる側になるように挿入した状態を示した図であり、（ロ）は、前記積層フィルム１を、袋本体部の前後の平面部１０、１０用と、左右のガセット部、即ち、側面部１１、１１用の四つに分割し、それぞれのシーラント層が袋の内側になるように長手方向に送りながら、上下に平行して送られる平面部１０、１０用の積層フィルム１、１の両側の間に、側面部１１、１１用の積層フィルム１、１をそれぞれ内側に半折りして、折り襞状の折り返し部２a 、２b を形成して挿入し、筒状の袋本体部を形成すると共に、その一隅の側部、図では左上隅の側部から、チャックテープ５０を横方向にもう一方の側部（図では右側の側部）まで、両側の折り襞状の折り返し部２a 、２b の互いに異なる側になるように挿入した状態を示した図である。
この後、（イ）、（ロ）いずれの場合も、チャックテープ５０は、袋の外側から加熱、加圧され、そのテープ体部で袋の内面に熱接着され、また、袋の側部の四隅の端縁部が、側部シール部（４a 、４c ）、（４b 、４d ）でヒートシールされるものである。
【００３１】
次に、図１に示したチャックテープ付きガセット袋１００は、最内層にシーラント層が積層された積層フィルム１の左右両側を、例えば、図３の（イ）に示すように、そのシーラント層が内側になるように折り返して、内側に折り襞状の折り返し部２a 、２b を有するガセット部３a 、３b を形成し、折り返された両側の積層フィルム１の端部同士を一方の側部（図では左側の側部）で重ね合わせて、筒状の折り畳まれた袋本体部を形成すると共に、その重ね合わせた側部から、雄型嵌合部を有する凸条付きテープ体と雌型嵌合部を有する凹条付きテープ体とが予め嵌合された状態のチャックテープ５０を、横方向にもう一方の側部（図では右側の側部）まで、両側の折り襞状の折り返し部２a 、２b の互いに異なる側に対角線状に挿入し、袋の外側からそのテープ体部を加熱、加圧して袋本体部の口部となる開口端近傍の内面に熱接着させ、また、袋本体部の両側の四隅の端縁部を側部シール部（４a 、４c ）、（４b 、４d ）でヒートシールし、更に、ガセット袋１００のチャックテープ５０が熱接着された部分の外側の端縁部の積層フィルム１の内面に予め塗布されたイージーピール性の熱接着剤塗布部５を上部シール部６でヒートシールして構成したものである。
尚、チャックテープ付きガセット袋１００の下側の開口端は、内容物の充填口に使用するため、内容物の充填後に底部シール部７でヒートシールして密封するものである。
【００３２】
このような構成を採ることにより、内容物の充填は、底部の開口部から容易に充填することができ、充填後に底部シール部７をヒートシールして完全に密封することができる。
内容物が充填されたガセット袋１００は、両側のガセット部３a 、３b が前後に広げられ、また、袋本体部の側部の四隅の端縁部が側部シール部（４a 、４c ）、（４b 、４d ）でヒートシールされているので補強効果があり、胴部の横断面がしっかりとした矩形状となり、底部もフラットな矩形状になるので自立性を有し、取り扱いやすく、外観も向上され、また、容量の割にコンパクトに包装することができる。
【００３３】
そして、充填された内容物を取り出す際には、上部シール部６がイージーピール性であるため、両側の積層フィルム１の上端を前後に引き離すことにより、容易に上部シール部６を剥離させてチャックテープ５０の外側を開封することができ、それによりチャック５０が開閉可能な状態となる。
従って、チャックテープ５０の嵌合を解離させることにより、ガセット袋１００の上部が大きく開口され、この時、チャックテープ５０が両側の折り襞状の折り返し部２a 、２b の互いに異なる側に対角線状に挿入され、熱接着されているので、ガセット袋１００の内部と開口部とのバランスもよく、一層容易に内容物を取り出すことができ、また、内容物の一部を取り出した後もチャックテープ５０による再封が容易であり、内容物を安全に保存することができる。
更に、内容物を全部使用した後も、任意の内容物を新たに充填して保存用の密封袋として再利用することもできる。
【００３４】
また、図２に示したチャックテープ付きガセット袋２００は、前記図１に示したチャックテープ付きガセット袋１００の構成において、袋の上部に熱接着したチャックテープ５０の外側の端縁部のシール方法とその開封方法を以下のように変更して構成したものであり、その他の構成は、総て図１に示したチャックテープ付きガセット袋１００と同様に形成して構成したものである。
即ち、チャックテープ５０の外側の端縁部のシール方法は、イージーピール性のヒートシールではなく、通常のヒートシールと同様に、袋の積層フィルム１のシーラント層を利用して袋の上部の端縁部を上部シール部６でヒートシールすると共に、その開封手段として、チャックテープ５０と上部シール部６との間に、切り取り線８と、その両端にスポット状のヒートシール部１７、１７を設けた上でその領域内にノッチ９a 、９b を設けて構成したものである。
但し、上記スポット状のヒートシール部１７、１７は、袋の四隅の端縁部の側部シール部（４a 、４c ）、（４b 、４d ）の幅がノッチ９a 、９b の大きさに対して、十分に余裕のある場合は省略することができる。
【００３５】
上記開封手段の切り取り線８は、印刷などによる開封指示線のみでも開封位置を明示できるので誤使用は避けられるが、ガセット袋の場合、ノッチ９a 、９b を利用して切り取り線８に沿って袋の上部を引き裂いた時、折り襞状の折り返し部２a 、２b の端部で引き裂きが停止されるため、鋏などの使用が必要となる。従って、切り取り線８には、印刷などによる開封指示線と共に、レーザー光照射などによるハーフカット線や一軸延伸フィルム（易引き裂き性フィルム）の積層などの易開封性手段を併用することが好ましい。
【００３６】
上記のような袋の上部のチャックテープ５０の外側の端縁部のシール方法とその開封方法の変更により、袋の上部シール部６による密封性は完璧であり、その開封のしやすさが多少変わるものの特に大きな差はなく、このような構成を採った場合も、前記図１に示したチャックテープ付きガセット袋１００と略同様な作用効果を得ることができる。
【００３７】
尚、図１、図２に示したチャックテープ付きガセット袋１００、２００では、商品の流通用に使用できるように、チャックテープ５０の外側の端縁部にイージーピール性の上部シール部６、または、通常のヒートシールによる上部シール部６とその開封手段として切り取り線８およびノッチ９a 、９b などを設けたが、単に保存用の袋として使用する場合など用途によっては、これらは必要ではないため取り除くことができる。
【００３８】
【発明の効果】
以上、詳しく説明したように、本発明によれば、チャックテープが袋の上部に取り付けられた積層フィルム製のガセット袋であって、内容物の密封性および袋の開封性、外観がよく、且つ、チャックテープによる袋の開閉が自在で使い勝手もよく、また、その製造においても、製袋とインラインで容易にチャックテープを取り付けることができ、性能、使用適性と共に生産性に優れたチャックテープ付きガセット袋およびその製造方法を提供できる効果を奏する。
【図面の簡単な説明】
【図１】本発明のチャックテープ付きガセット袋の一実施例の構成を示す平面図である。
【図２】本発明のチャックテープ付きガセット袋の別の一実施例の構成を示す平面図である。
【図３】図３の（イ）、（ロ）は、それぞれ本発明のチャックテープ付きガセット袋の製造において、ガセット袋にチャックテープを取り付ける際のチャックテープの挿入方法を説明する断面図である。
【図４】チャックテープの構成を説明する模式拡大断面図である。
【符号の説明】
１  積層フィルム
２a 、２b   折り襞状の折り返し部
３a 、３b   ガセット部
４a 、４b 、４c 、４d   側部シール部
５  イージーピール性の熱接着剤塗布部
６  上部シール部
７  底部シール部
８  切り取り線
９a 、９b   ノッチ
１０  平面部
１１  側面部
１２  凸条付きテープ体
１３  凹条付きテープ体
１４  雄型嵌合部
１５  雌型嵌合部
１６  熱接着性樹脂層
１７  ヒートシール部
５０  チャックテープ
１００、２００  チャックテープ付きガセット袋
【図１】
0003953786.tif 000002
【図２】
0003953786.tif 000003
【図３】
0003953786.tif 000004
【図４】
0003953786.tif 000005